【手続補正書】
【提出日】平成21年7月29日(2009.7.29)
【手続補正１】
【補正対象書類名】特許請求の範囲
【補正対象項目名】全文
【補正方法】変更
【補正の内容】
【特許請求の範囲】
【請求項１】
直接通信を行う画像入力装置と画像出力装置との間におけるデータの転送方法であって、前記画像入力装置は、入力した画像の画像ファイルと、前記画像出力装置と共通な予め設定された色空間において色変換を行う為の変換情報を含む変換ファイルとを保持し、前記転送方法は、
前記画像入力装置の通信手段が、前記画像出力装置に、前記画像出力装置から出力する画像ファイルの画像を色変換するための変換ファイルを転送する第１の転送工程と、
前記通信手段が、前記画像入力装置から前記画像出力装置に、前記画像ファイルを転送する第２の転送工程とを有し、
前記画像出力装置において、前記第２の転送工程で転送された前記画像ファイルの画像に対して、前記第１の転送工程で転送された前記変換ファイルの変換情報を用いて色変換を行って、出力することを特徴とする転送方法。
【請求項２】
前記第２の転送工程では複数の画像ファイルを転送し、前記画像出力装置において、前記第２の転送工程で転送された前記複数の画像ファイルの画像に対して、前記第１の転送工程で転送された前記変換ファイルの変換情報を用いて色変換を行うことを特徴とする請求項１に記載の転送方法。
【請求項３】
前記第１の転送工程では、複数の異なる色変換をそれぞれ定義した複数の変換ファイルを転送し、前記画像出力装置において、前記第２の転送工程で転送された各画像ファイルの画像に対して、前記第１の転送工程で転送された前記複数の変換ファイルの変換情報を用いて前記複数の異なる色変換を行うことを特徴とする請求項１または２に記載の転送方法。
【請求項４】
前記画像出力装置の制御手段が、前記第１の転送工程で転送された前記変換ファイルを記憶手段に記憶する記憶工程を更に有し、
前記画像出力装置において、前記記憶手段に変換ファイルが記憶されている場合に、前記第２の転送工程で転送された前記画像ファイルの画像に対して、前記記憶手段に記憶されている前記変換ファイルの変換情報を用いて色変換を行うことを特徴とする請求項１乃至３のいずれか１項に記載の転送方法。
【請求項５】
前記記憶手段に記憶されている変換ファイルの変換情報を色変換に用いる場合に、前記第１の転送工程をスキップすることを特徴とする請求項４に記載の転送方法。
【請求項６】
前記画像入力装置は、当該画像入力装置の色空間から、前記画像出力装置と共通な前記予め設定された色空間に画像ファイルの画像を変換する為の変換情報を含む色空間変換ファイルを更に保持し、
前記転送方法は、前記通信手段により、前記画像入力装置から前記画像出力装置に、前記色空間変換ファイルを転送する第３の転送工程を更に有し、
前記画像出力装置において、前記第２の転送工程で転送された画像ファイルの画像に対して、前記第３の転送工程で転送された色空間変換ファイルの変換情報を用いて色空間の変換を行ってから、前記第１の転送工程で転送された変換ファイルの変換情報を用いて色変換を行うことを特徴とする請求項１乃至５のいずれか１項に記載の転送方法。
【請求項７】
前記通信手段が、前記画像入力装置から前記画像出力装置に、変換ファイル及び画像ファイルの転送を通知するジョブファイルを転送する第４の転送工程を更に有することを特徴とする請求項１乃至６のいずれか１項に記載の転送方法。
【請求項８】
外部の画像出力装置と直接通信する為の通信手段と、
入力した画像の画像ファイルと、前記画像出力装置と共通な予め設定された色空間において色変換を行う為の変換情報を含む変換ファイルとを保持する保持手段と、
前記通信手段を介して通信を行う画像出力装置が、画像ファイルの画像に対して、変換ファイルの変換情報を用いて色変換を実施する機能を有しているかどうかを判断する判断手段と、
前記判断手段により有していると判断された場合に、前記画像出力装置から出力する画像ファイルの画像を色変換するための変換ファイルと、前記画像ファイルとを前記通信手段を介して転送するように制御する制御手段と
を有することを特徴とする画像入力装置。
【請求項９】
前記制御手段は、複数の画像ファイルを転送するように制御することを特徴とする請求項８に記載の画像入力装置。
【請求項１０】
前記制御手段は、複数の異なる色変換をそれぞれ定義した複数の変換ファイルを転送するように制御することを特徴とする請求項８または９に記載の画像入力装置。
【請求項１１】
前記保持手段は、前記画像入力装置の色空間から、前記画像出力装置と共通な前記予め設定された色空間に画像ファイルの画像を変換する為の変換情報を含む色空間変換ファイルを更に保持し、前記制御手段は更に前記色空間変換ファイルを前記通信手段を介して転送するように制御することを特徴とする請求項８乃至１０のいずれか１項に記載の画像入力装置。
【請求項１２】
前記制御手段は更に、変換ファイル及び画像ファイルの転送を通知するジョブファイルを前記通信手段を介して転送するように制御することを特徴とする請求項８乃至１１のいずれか１項に記載の画像入力装置。
【請求項１３】
外部の画像入力装置と直接通信する為の通信手段と、
前記通信手段を介して、前記画像入力装置から、画像ファイルと、予め設定された色空間において色変換を行う為の変換情報を含む変換ファイルとを受信するように制御する制御手段と、
前記受信した画像ファイルの画像に対して、前記変換ファイルの変換情報を用いて色変換を行う色変換手段と、
前記色変換手段により色変換を行った画像を出力する出力手段と
を有することを特徴とする画像出力装置。
【請求項１４】
前記色変換手段は、複数の画像ファイルの画像に対して、前記変換ファイルの変換情報を用いて色変換を行うことを特徴とする請求項１３に記載の画像出力装置。
【請求項１５】
前記画像入力装置から、複数の異なる色変換をそれぞれ定義した複数の変換ファイルを受信し、前記色変換手段は、前記受信した各画像ファイルの画像に対して、前記複数の変換ファイルの変換情報を用いて前記複数の異なる色変換を行うことを特徴とする請求項１３または１４に記載の画像出力装置。
【請求項１６】
受信した前記変換ファイルを記憶する記憶手段を更に有し、
前記色変換手段は、前記記憶手段に変換ファイルが記憶されている場合に、前記受信した画像ファイルの画像に対して、前記記憶手段に記憶されている前記変換ファイルの変換情報を用いて色変換を行うことを特徴とする請求項１３乃至１５のいずれか１項に記載の画像出力装置。
【請求項１７】
前記制御手段は、前記画像入力装置の色空間から、前記画像出力装置と共通な前記予め設定された色空間に画像ファイルの画像を変換する為の変換情報を含む色空間変換ファイルを、前記画像入力装置から更に受信するように制御し、
前記色変換手段による色変換の実行に先だって、前記受信した画像ファイルの画像に対して前記色空間変換ファイルの変換情報を用いて色空間の変換を行う色空間変換手段を更に有することを特徴とする請求項１３乃至１６のいずれか１項に記載の画像出力装置。
【請求項１８】
前記画像出力装置は、変換ファイル及び画像ファイルの転送を通知するジョブファイルを受信し、前記制御手段は前記受信したジョブファイルに基づいて、前記画像ファイル及び前記変換ファイルを受信するように制御することを特徴とする請求項１３乃至１７のいずれか１項に記載の画像出力装置。
【手続補正２】
【補正対象書類名】明細書
【補正対象項目名】００１８
【補正方法】変更
【補正の内容】
【００１８】
上記目的を達成するために、直接通信を行う画像入力装置と画像出力装置との間におけるデータの転送方法は、前記画像入力装置は、入力した画像の画像ファイルと、前記画像出力装置と共通な予め設定された色空間において色変換を行う為の変換情報を含む変換ファイルとを保持し、前記転送方法は、前記画像入力装置の通信手段が、前記画像出力装置に、前記画像出力装置から出力する画像ファイルの画像を色変換するための変換ファイルを転送する第１の転送工程と、前記通信手段が、前記画像入力装置から前記画像出力装置に、前記画像ファイルを転送する第２の転送工程とを有し、前記画像出力装置において、前記第２の転送工程で転送された前記画像ファイルの画像に対して、前記第１の転送工程で転送された前記変換ファイルの変換情報を用いて色変換を行って、出力する。
【手続補正３】
【補正対象書類名】明細書
【補正対象項目名】００１９
【補正方法】変更
【補正の内容】
【００１９】
また、本発明の画像入力装置は、外部の画像出力装置と直接通信する為の通信手段と、入力した画像の画像ファイルと、前記画像出力装置と共通な予め設定された色空間において色変換を行う為の変換情報を含む変換ファイルとを保持する保持手段と、前記通信手段を介して通信を行う画像出力装置が、画像ファイルの画像に対して、変換ファイルの変換情報を用いて色変換を実施する機能を有しているかどうかを判断する判断手段と、前記判断手段により有していると判断された場合に、前記画像出力装置から出力する画像ファイルの画像を色変換するための変換ファイルと、前記画像ファイルとを前記通信手段を介して転送するように制御する制御手段とを有する。
【手続補正４】
【補正対象書類名】明細書
【補正対象項目名】００２０
【補正方法】変更
【補正の内容】
【００２０】
また、本発明の画像出力装置は、外部の画像入力装置と直接通信する為の通信手段と、前記通信手段を介して、前記画像入力装置から、画像ファイルと、予め設定された色空間において色変換を行う為の変換情報を含む変換ファイルとを受信するように制御する制御手段と、前記受信した画像ファイルの画像に対して、前記変換ファイルの変換情報を用いて色変換を行う色変換手段と、前記色変換手段により色変換を行った画像を出力する出力手段とを有する。
【手続補正５】
【補正対象書類名】明細書
【補正対象項目名】００２６
【補正方法】変更
【補正の内容】
【００２６】
ＰＤプリンタ１０００の外殻をなす本体は、下ケース１００１、上ケース１００２、アクセスカバー１００３及び排出トレイ１００４の外装部材を有している。また、下ケース１００１は、ＰＤプリンタ１０００の略下半部を、上ケース１００２は本体の略上半部をそれぞれ形成しており、両ケースの組合せによって内部に後述する各機構を収納する収納空間を有する中空体構造を成している。そして、その上面部及び前面部にはそれぞれ開口部が形成されている。さらに、排出トレイ１００４は、その一端部が下ケース１００１に回転自在に保持され、その回転によって下ケース１００１の前面部に形成される開口部を開閉させ得るようになっている。このため、記録動作を実行させる際には、排出トレイ１００４を前面側へと回転させて開口部を開成させることにより、ここから記録シートが排出可能となると共に、排出された記録シートを順次積載し得るようになっている。また、排紙トレイ１００４には、２枚の補助トレイ１００４ａ、１００４ｂが収納されており、必要に応じて各トレイを手前に引き出すことにより、用紙の支持面積を３段階に拡大、縮小させ得るようになっている。
【手続補正６】
【補正対象書類名】明細書
【補正対象項目名】００３０
【補正方法】変更
【補正の内容】
【００３０】
一方、ＰＤプリンタ１０００はパーソナルコンピュータ（ＰＣ）からの印刷をも実現するためのインタフェースを備える。通常、ＰＣと一旦接続した後は、接続状態が維持されたままであることが多いので、そのインタフェース端子は背面に設けている。このＰＣ間との接続インタフェースは、例えば、セントロニクス社仕様のパラレルインターフェース、ＵＳＢインタフェース等でよいが、少なくとも双方向通信機能をサポートするものとした。
【手続補正７】
【補正対象書類名】明細書
【補正対象項目名】００３１
【補正方法】変更
【補正の内容】
【００３１】
図２は本実施の形態に係るＰＤプリンタ１０００とデジタルカメラ３０１２とを接続した状態を示している。
【手続補正８】
【補正対象書類名】明細書
【補正対象項目名】００３２
【補正方法】変更
【補正の内容】
【００３２】
図２において、ケーブル５０００（ＵＳＢケーブル）は、ＰＤプリンタ１０００のコネクタ１０１２に接続するためのコネクタ５００１と、デジタルカメラ３０１２の接続用コネクタ５００３と接続するためのコネクタ５００２とを備えている。なお、デジタルカメラ３０１２を不図示のＰＣと接続する場合には、ＰＣが有するＵＳＢコネクタに、上記コネクタ５００１を接続することで、撮像した画像をＰＣに転送することができる。
【手続補正９】
【補正対象書類名】明細書
【補正対象項目名】００３３
【補正方法】変更
【補正の内容】
【００３３】
また、デジタルカメラ３０１２は、内部のメモリに保存している画像データを、接続用コネクタ５００３を介して出力可能に構成されている。なお、デジタルカメラ３０１２の構成としては、内部に記憶手段としてのメモリを備えるものや、取外し可能なメモリを装着するためのスロットを備えたものなど、種々の構成を採用することができる。このように、図２に示すケーブル５０００を介してＰＤプリンタ１０００とデジタルカメラ３０１２とを接続することにより、デジタルカメラ３０１２からの画像データを直接ＰＤプリンタ１０００で印刷することができる。
【手続補正１０】
【補正対象書類名】明細書
【補正対象項目名】００３４
【補正方法】変更
【補正の内容】
【００３４】
図３は本実施の形態におけるＰＤプリンタ１０００の制御系のブロック構成図である。図３において、１はＰＤプリンタ１０００全体の制御を司るＣＰＵ、２はＣＰＵ１の動作処理手順（プログラム）やフォントを記憶しているＲＯＭ、３はＣＰＵ１のワークエリアとして使用されるＲＡＭである。４は操作パネル（図１及び図２における１０１０に相当）である。
【手続補正１１】
【補正対象書類名】明細書
【補正対象項目名】００３５
【補正方法】変更
【補正の内容】
【００３５】
５はＰＣとの接続を行うためのインターフェースであり、７はデジタルスチルカメラとの接続を行うインターフェース（ＵＳＢのホスト側）である。８は、ストレージデバイスであり画像入力デバイスから送られた画像を保持可能である。９はメモリカードを搭載したアダプタ（ＰＣＭＣＩＡ）１０を接続可能なカードインターフェース（Ｉ／Ｆ）である。カードＩ／Ｆ９はＰＤプリンタ１０００がＤＰＯＦ、すなわち、デジタルカメラで撮影され、記憶されたメモリカード内の印刷指示に関する記述ファイルを読取って、それに従って印刷するためのものである。６はプリンタエンジン部であり、本実施の形態では、熱エネルギーを利用してインク液を吐出するプリントエンジンであるが、記録方式はこれにより限定されるものではない。また、１１は拡張デバイスを接続するためのインタフェースであり、詳細は後述するが、オプションとして用意される画像を表示するための表示装置等が接続できるようになっている。１２は不揮発性メモリであり、このエリアに格納された情報は、電源の供給が絶たれてもその内容を保持することが可能である。前述のストレージデバイスとの違いは、アクセスの速度とデバイス自身の装置コストにある。一般的にハードディスクのようなストレージデバイスは不揮発性メモリに比べて安価である。しかしながら、アクセス速度が遅いため、本実施の形態では、画像ファイルのようなサイズの大きなファイルをストレージデバイスに格納し、色処理に用いる参照テーブルやパラメータ類を不揮発性メモリエリアに保持している。
【手続補正１２】
【補正対象書類名】明細書
【補正対象項目名】００４３
【補正方法】変更
【補正の内容】
【００４３】
まず、ＰＤプリンタ１０００からＤＳＣ３０１２に対してＰＴＰコマンドGetDeviceInfoが送信される。この手順では、ＰＤプリンタ１０００は、接続されているデバイスが何であるか不明であるので、それを問い合わせる（手順１００）。これに対してＤＳＣ３０１２は、DeviceInfo DatasetによりＤＳＣ３０１２に関する情報をＰＤプリンタ１０００に送信（通知）する（手順１０１）。
【手続補正１３】
【補正対象書類名】明細書
【補正対象項目名】００７９
【補正方法】変更
【補正の内容】
【００７９】
また、ＤＳＣ３０１２において意図的にソースプロファイルの変換を行わない変形例としては、以下のようにして実現される。即ち、ＤＳＣ３０１２が送信する画像ファイルに予めソースプロファイルによる変換に相当する画像変換を行い、さらに、図８に示されるジョブファイル中のソースプロファイルの記述を行わないことである。つまり、ＤＳＣ３０１２においてＤＳＣ３０１２のデバイスに依存する色空間から標準的な色空間への変換を行っておくことで、ＰＤプリンタ１０００側でＤＳＣ３０１２のデバイスに依存する色変換を行う手間を省いている。さらに、送信する画像がＤＳＣ３０１２のデバイス特性に依存していないことを示すために、図８に示すソースプロファイルの記述を省いている。
【手続補正１４】
【補正対象書類名】明細書
【補正対象項目名】００８０
【補正方法】変更
【補正の内容】
【００８０】
また、プリンタ側で意図的にＤＳＣ３０１２においてソースプロファイルに基づく色変換を行わせるためには、以下のようにして実現できる。即ち、手順７００の確認のための２つのステップの内のステップ１において、ソースプロファイルに基づく色変換処理をＰＤプリンタ１０００で行わないと記述しておく。このようにソースプロファイルにおける色変換をＤＳＣ３０１２において実行する場合、送受信するデータ量がソースプロファイル分削減できるという利点がある。更に、ＰＤプリンタ１０００よりもＤＳＣ３０１２において色変換処理が高速で行うことができる場合には、処理時間の短縮も見込める。
【手続補正１５】
【補正対象書類名】明細書
【補正対象項目名】０１１１
【補正方法】変更
【補正の内容】
【０１１１】
次に、全体の流れについて図１５を参照して説明する。なお、図１５において、図７と同様の手順には同じ参照番号を付す。ジョブファイルの送受信まで（手順７００〜７０３）は、第１の実施形態で説明した手順と同様であるため、ここでは説明を省略する。
【手続補正１６】
【補正対象書類名】明細書
【補正対象項目名】０１１８
【補正方法】変更
【補正の内容】
【０１１８】
ソースプロファイルを保持した後に、画像ファイルを受信する（手順４７２２、４７２３）。ここで、ＰＤプリンタ１０００は、図１７に示すジョブファイルにカラープロファイルが設定されていないため、メモリ中に保持している前回のカラープロファイルを用いて色変換を行い、印刷を行う（手順４７２４）。もちろん、ＰＤプリンタ１０００のユーザーインタフェースを用いて、カラープロファイルが記述されていないことを利用者に通知するようにしても良い。その場合、カラープロファイルを用いずに印刷を行うか、あらかじめ保持したカラープロファイルを用いて印刷を行うかを利用者に決定させるように構成することもできる。
【手続補正１７】
【補正対象書類名】明細書
【補正対象項目名】０１１９
【補正方法】変更
【補正の内容】
【０１１９】
印刷動作が終了した後に、ＰＤプリンタ１０００は印刷の終了をＤＳＣ３０１２に通知し（手順４７２５）、一連の作業を終了する。